(57)【要約】【課題】複数ユーザが請求総額に対して分担支払できる電子マネー決済システムおよびそれに用いられる携帯端末を提供する。【解決手段】携帯端末４とＰＯＳ端末１を有する電子マネー決済システムにおいて、携帯端末４は、電子マネー残高・ＩＣカード識別情報の記憶手段を備えるＩＣカード機能部５、支払金額を設定する制御手段１５、ＰＯＳ端末１と近距離無線通信して支払金額をＩＣカード識別情報と共にＰＯＳ端末１に送信し、応答信号を受信する送受信手段６を備え、ＰＯＳ端末は、送受信手段６からの支払金額・ＩＣカード識別情報を受信し、応答信号を送信する送受信手段７、ＩＣカード機能部５と通信するＩＣカードリーダライタ３、携帯端末４のＩＣカード識別情報・電子マネー残高を読取り、電子マネー残高を更新し、支払金額を請求金額から差し引いて新請求金額として更新するＰＯＳ端末制御手段９を備える。【選択図】図２
2008134964.tif 000002
【特許請求の範囲】
【請求項１】
携帯端末とＰＯＳ端末とを用いて電子マネー決済を行う電子マネー決済システムにおいて、
前記携帯端末は、
電子マネー残高およびＩＣカード識別情報を記憶する記憶手段を備えるＩＣカード機能部と、
ユーザの入力に基づいて支払上限金額を設定する制御を行う携帯端末制御手段と、
前記ＰＯＳ端末と近距離無線通信して、前記支払上限金額を前記ＩＣカード識別情報と共に前記ＰＯＳ端末に送信し、その応答信号を受信する携帯端末側送受信手段とを備え、
前記ＰＯＳ端末は、
前記携帯端末側送受信手段から送信される前記支払上限金額および前記ＩＣカード識別情報を前記携帯端末から受信し、その応答信号を前記携帯端末側送受信手段に送信するＰＯＳ端末側送受信手段と、
前記携帯端末の前記ＩＣカード機能部と通信して、前記記憶手段に記憶された前記電子マネー残高および前記ＩＣカード識別情報を読み取ると共に、前記電子マネー残高を更新するＩＣカードリーダライタと、
前記ＩＣカードリーダライタを介して、前記電子マネー残高から前記支払上限金額を差し引いた電子マネー差引残高を新たな電子マネー残高として前記携帯端末の前記記憶手段に記憶されている前記電子マネー残高を更新するように制御すると共に、前記支払上限金額を請求金額から差し引いて新たな請求金額として更新するＰＯＳ端末制御手段と、を備えることを特徴とする電子マネー決済システム。
【請求項２】
前記携帯端末側送受信手段と前記ＰＯＳ端末側送受信手段との間の近距離無線通信を、赤外線通信としたことを特徴とする請求項１に記載の電子マネー決済システム。
【請求項３】
前記携帯端末はさらに、前記ＩＣカード機能部への電力供給を制御するＩＣカード機能電力制御手段を備え、
前記ＩＣカード機能電力制御手段は、前記支払上限金額を設定する制御を開始する時点で前記ＩＣカード機能部を無効化するように前記電力供給を制御し、前記ＰＯＳ端末が前記支払上限金額および前記ＩＣカード識別情報を受信したことを示す応答信号を、前記携帯端末側送受信手段が受信した時点で前記ＩＣカード機能部を有効化するように前記電力供給を制御し、
さらに前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とする請求項１または２に記載の電子マネー決済システム。
【請求項４】
携帯端末とＰＯＳ端末とサーバとを用いて電子マネー決済を行う電子マネー決済システムにおいて、
前記携帯端末は、
電子マネー残高およびＩＣカード識別情報を記憶する記憶手段を備えるＩＣカード機能部と、
ユーザの入力に基づいて支払上限金額を設定する制御を行う携帯端末制御手段と、
前記サーバとの間の無線通信により、前記支払上限金額を前記ＩＣカード識別情報と共に前記サーバに送信し、その応答信号を受信する無線通信手段とを備え、
前記ＰＯＳ端末は、
前記携帯端末の前記ＩＣカード機能部と通信して、前記記憶手段に記憶された前記電子マネー残高および前記ＩＣカード識別情報を読み取ると共に、前記電子マネー残高を更新するＩＣカードリーダライタと、
請求金額と、前記ＩＣカードリーダライタで読み取った前記電子マネー残高および前記ＩＣカード識別情報とを含む決済要求を前記サーバに送信すると共に、前記請求金額から前記支払上限金額を差し引いた差引請求金額と、前記電子マネー残高から前記支払上限金額を差し引いた電子マネー差引残高とを含む決済内容を前記サーバから受信するＰＯＳ側情報送受信手段と、
前記サーバから受信した前記差引請求金額を新たな請求金額として処理し、前記電子マネー差引残高を新たな電子マネー残高として、前記ＩＣカードリーダライタを介して、前記携帯端末の前記記憶手段に記憶されている前記電子マネー残高を更新する制御手段とを備え、
前記サーバは、
前記携帯端末から前記支払上限金額を前記ＩＣカード識別情報と共に無線により受信し、その応答信号を送信する第１送受信手段と、
前記ＰＯＳ端末から前記決済要求を受信し、前記決済内容を送信する第２の送受信手段と、
前記携帯端末から受信した前記支払上限金額を、前記ＰＯＳ端末から受信した前記請求金額から差し引いた差引請求金額と、前記携帯端末から受信した前記支払上限金額を、前記ＰＯＳ端末から受信した前記携帯端末の前記電子マネー残高から差し引いた電子マネー差引残高とを算出し、該算出した差引請求金額および該電子マネー差引残高を前記第２送受信手段を介して前記ＰＯＳ端末に送信する制御手段と、を備えることを特徴とする電子マネー決済システム。
【請求項５】
前記携帯端末はさらに、前記ＩＣカード機能部への電力供給を制御するＩＣカード機能電力制御手段を備え、
前記ＩＣカード機能電力制御手段は、前記支払上限金額を設定する制御を開始する時点で前記ＩＣカード機能部を無効化するように前記電力供給を制御し、前記サーバが前記支払上限金額および前記ＩＣカード識別情報を受信したことを示す応答信号を、前記無線通信手段が受信した時点で前記ＩＣカード機能部を有効化するように前記電力供給を制御し、
さらに前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とする請求項４に記載の電子マネー決済システム。
【請求項６】
携帯端末とＰＯＳ端末とを用いて電子マネー決済を行う電子マネー決済システムにおいて、
前記携帯端末は、
ユーザの入力に基づいて支払上限金額を設定する制御を行う携帯端末制御手段と、
電子マネー残高およびＩＣカード識別情報を記憶する記憶手段を備え、前記ＰＯＳ端末と近距離無線通信して、前記支払上限金額を前記ＩＣカード識別情報と共に前記ＰＯＳ端末に送信し、その応答信号を前記ＰＯＳ端末から受信するＩＣカード機能部とを備え、
前記ＰＯＳ端末は、
前記携帯端末の前記ＩＣカード機能部と通信して、前記支払上限金額および前記ＩＣカード識別情報を受信し、その応答信号を送信するとともに、前記記憶手段に記憶されている前記電子マネー残高および前記ＩＣカード識別情報を読み取り、前記電子マネー残高を更新するＩＣカードリーダライタと、
前記ＩＣカードリーダライタを介して、前記電子マネー残高から前記支払上限金額を差し引いた電子マネー差引残高を新たな電子マネー残高として前記携帯端末の前記記憶手段に記憶されている前記電子マネー残高を更新するように制御すると共に、前記支払上限金額を請求金額から差し引いて新たな請求金額として更新するＰＯＳ端末制御手段と、を備えることを特徴とする電子マネー決済システム。
【請求項７】
前記ＩＣカード機能部と前記ＩＣカードリーダライタとの間の近距離無線通信を、ＲＦＩＤ通信としたことを特徴とする請求項６に記載の電子マネー決済システム。
【請求項８】
前記携帯端末はさらに、前記ＩＣカード機能部への電力供給を制御するＩＣカード機能電力制御手段を備え、
前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とする請求項６または７に記載の電子マネー決済システム。
【請求項９】
電子マネー残高およびＩＣカード識別情報を記憶する記憶手段を備えるＩＣカード機能部と、
ユーザの入力に基づいて支払上限金額を設定する設定手段と、
前記支払上限金額を前記ＩＣカード識別情報と共にＰＯＳ端末に送信し、その応答信号を受信する近距離無線通信手段と、
を備えることを特徴とする携帯端末。
【請求項１０】
電子マネー残高およびＩＣカード識別情報を記憶する記憶手段を備えるＩＣカード機能部と、
ユーザの入力に基づいて支払上限金額を設定する設定手段と、
前記支払上限金額と前記ＩＣカード識別情報とをサーバに送信し、該サーバからの応答信号を受信する送受信手段と、
を備えることを特徴とする携帯端末。
【請求項１１】
前記ＩＣカード機能部への電力供給を制御するＩＣカード機能電力制御手段をさらに備え、
前記ＩＣカード機能電力制御手段は、
前記設定手段により前記支払上限金額の設定を行う設定モードになった時点で前記ＩＣカード機能部を無効化するように前記電力供給を制御し、前記応答信号を受信した時点で前記ＩＣカード機能部を有効化するように前記電力供給を制御し、
前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とする請求項９または１０に記載の携帯端末。
【請求項１２】
電子マネー残高およびＩＣカード識別情報を記憶する記憶手段を有し、かつ、ＩＣカードリーダライタと近距離無線通信を行うＩＣカード機能部と、
ユーザの入力に基づいて支払上限金額を設定する設定手段とを備え、
前記ＩＣカード機能部は、前記支払上限金額を前記ＩＣカード識別情報と共に前記ＩＣカードリーダライタに送信し、その応答信号を受信することを特徴とする携帯端末。
【請求項１３】
前記ＩＣカード機能部への電力供給を制御するＩＣカード機能電力制御手段をさらに備え、
前記ＩＣカード機能電力制御手段は、前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とする請求項１２に記載の携帯端末。
【発明の詳細な説明】
【技術分野】
【０００１】
本発明は、電子マネー決済システムに関し、特に、非接触式の電子マネー決済（非接触ＩＣカード）機能を搭載する携帯端末とＰＯＳ（Point Of Sales）端末とを有する電子マネー決済システムおよびそれに用いられる携帯端末に関する。
【背景技術】
【０００２】
近年、例えばＳｕｉｃａやＥｄｙ等の非接触ＩＣカードを用いることによる電子マネーを利用した支払いが急速に普及している。これらの使用にあたっては、事前に専用端末により電子マネーを非接触ＩＣカードにチャージ（入金）しておき、そのチャージした金額を限度額として金銭の支払いに使用するものが一般的である。これらを用いれば、現金を必要とせずに簡単に支払いを済ますことができ、さらに釣銭の小銭がたまる煩わしさもなく、大変便利である。チャージした金額以上に支払うことはできないため、クレジットカードのように思わずお金を使い過ぎてしまうという心配もない。
【０００３】
最近では、上述の非接触ＩＣカードの機能を携帯電話などの携帯端末に搭載することも一般的になってきている。このような携帯端末においては、ユーザは、インターネット網等を通じて特定のサイトにアクセスすることで、自らが所有する非接触ＩＣカードの内部情報を見ることができる。すなわち、過去の利用履歴を参照したり、専用端末を使用せずにクレジットカード決済などでＩＣカードにチャージをしたり、さらには非接触ＩＣカードの機能に交通定期券の機能も搭載させている場合には、その定期券使用期間の更新等もインターネット網等を通じて行うことができる。
【０００４】
特に、携帯電話のような携帯端末は、腕時計と同等かまたはそれ以上に、常に携帯することが一般化したツールになっている。さらに、最近の携帯端末においては、メール機能、カメラ撮影機能、動画撮影機能といった機能のみならず、デジタルラジオ、ワンセグテレビ放送、シリコンオーディオの機能といったような、長時間利用する機能まで搭載されてきている。このように種々の便利な機能を備えているため、一般に財布を持ち歩かないような場面でも携帯端末は携帯するというユーザも多く、少額の金銭の支払いが必要になった際に、携帯端末でさらに支払いまで済ますことができる機能は大変便利である。このような利便性から、非接触ＩＣカードの機能を搭載した携帯端末で電子マネーの支払いの機能を利用するユーザは増加の一途を辿っている。
【０００５】
電子マネーで金銭の支払いを行う場合は、非接触ＩＣカード（以下、適宜「ＩＣカード」と称する）機能を有するカードまたは携帯端末を、支払いを行う店舗のＰＯＳ（Point Of Sales）端末に接続されているＩＣカードリーダライタにかざすように近づけることにより、非接触式に自動で支払いが行われる。この時、店舗のＰＯＳ端末は、ＩＣカードリーダライタを経て、カードまたは携帯端末のＩＣカードに記録されている電子マネー残高を参照し、支払金額以上に電子マネー残高がある場合には、この電子マネー残高から支払金額を差し引いた金額を新たな電子マネー残高としてＩＣカードに上書きする。こうすることで、カードまたは携帯端末のユーザは、釣り銭が発生せずスムーズに支払を済ませることができる。
【０００６】
ところで、上述したようなＩＣカード機能による支払いにおいては、一度の会計に対する支払いは、１人のユーザが１回の支払いで行うことを想定しているのが一般的である。したがって、複数のユーザがそれぞれに購入したものに対して、その複数のユーザが１つのグループとして会計を一度にまとめて行った場合であっても、最初に支払いをするユーザ１人が全ての支払いをしなければならない。最初に支払いをするユーザが自分のカードまたは携帯端末をＩＣカードリーダライタにかざした瞬間に、請求総額が電子マネー残高以下であれば一度に電子マネーが全支払総額ぶん差し引かれてしまう。これでは、例えばグループの飲食費などを請求総額に対してグループの人数で割り勘（勘定を各人に平均に割り当てて支払う）にして支払いするなど、数人のユーザで支払金額を分担することはできず、著しく不便である。
【０００７】
そこで、上記の問題を解決すべく、割勘支払などの決済処理が可能なＰＯＳ端末が提案されている（例えば、特許文献１参照）。
【特許文献１】特開平１１−１６０３２
【発明の開示】
【発明が解決しようとする課題】
【０００８】
しかしながら、特許文献１に開示の方法では、次のような問題点がある。すなわち、この方法では、一度にまとめた会計に対して複数人で支払をする際に、割り勘すなわち請求金額を人数で割ることしかできないため、分担支払（自らの利用金額に応じて各人が個別の決済を行う）など、支払者が自らの支払金額（支払上限金額）を設定するような決済方法を選択することはできず不便である。また、各決済処理を行う際には、電子マネーカードの挿入および排出も含めて、基本的に全ての処理操作をＰＯＳ端末の操作者が行わなければならないため、操作者の負担が大きいという問題点もある。
【０００９】
したがって、かかる点に鑑みてなされた本発明の目的は、比較的簡単なシステム構成で、金銭の請求および決済を行う店舗側の負担を軽減でき、複数のユーザが請求総額から自らの支払金額を支払う分担支払が可能な電子マネー決済システムおよびそれに用いられる携帯端末を提供することにある。
【課題を解決するための手段】
【００１０】
上記目的を達成する請求項１に係る電子マネー決済システムの発明は、携帯端末とＰＯＳ端末とを用いて電子マネー決済を行う電子マネー決済システムにおいて、
前記携帯端末は、
電子マネー残高およびＩＣカード識別情報を記憶する記憶手段を備えるＩＣカード機能部と、
ユーザの入力に基づいて支払上限金額を設定する制御を行う携帯端末制御手段と、
前記ＰＯＳ端末と近距離無線通信して、前記支払上限金額を前記ＩＣカード識別情報と共に前記ＰＯＳ端末に送信し、その応答信号を受信する携帯端末側送受信手段とを備え、
前記ＰＯＳ端末は、
前記携帯端末側送受信手段から送信される前記支払上限金額および前記ＩＣカード識別情報を前記携帯端末から受信し、その応答信号を前記携帯端末側送受信手段に送信するＰＯＳ端末側送受信手段と、
前記携帯端末の前記ＩＣカード機能部と通信して、前記記憶手段に記憶された前記電子マネー残高および前記ＩＣカード識別情報を読み取ると共に、前記電子マネー残高を更新するＩＣカードリーダライタと、
前記ＩＣカードリーダライタを介して、前記電子マネー残高から前記支払上限金額を差し引いた電子マネー差引残高を新たな電子マネー残高として前記携帯端末の前記記憶手段に記憶されている前記電子マネー残高を更新するように制御すると共に、前記支払上限金額を請求金額から差し引いて新たな請求金額として更新するＰＯＳ端末制御手段と、を備えることを特徴とするものである。
【００１１】
請求項２に係る発明は、請求項１に記載の電子マネー決済システムにおいて、
前記携帯端末側送受信手段と前記ＰＯＳ端末側送受信手段との間の近距離無線通信を、赤外線通信としたことを特徴とするものである。
【００１２】
請求項３に係る発明は、請求項１または２に記載の電子マネー決済システムにおいて、
前記携帯端末はさらに、前記ＩＣカード機能部への電力供給を制御するＩＣカード機能電力制御手段を備え、
前記ＩＣカード機能電力制御手段は、前記支払上限金額を設定する制御を開始する時点で前記ＩＣカード機能部を無効化するように前記電力供給を制御し、前記ＰＯＳ端末が前記支払上限金額および前記ＩＣカード識別情報を受信したことを示す応答信号を、前記携帯端末側送受信手段が受信した時点で前記ＩＣカード機能部を有効化するように前記電力供給を制御し、
さらに前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とするものである。
【００１３】
さらに、上記目的を達成する請求項４に係る電子マネー決済システムの発明は、
携帯端末とＰＯＳ端末とサーバとを用いて電子マネー決済を行う電子マネー決済システムにおいて、
前記携帯端末は、
電子マネー残高およびＩＣカード識別情報を記憶する記憶手段を備えるＩＣカード機能部と、
ユーザの入力に基づいて支払上限金額を設定する制御を行う携帯端末制御手段と、
前記サーバとの間の無線通信により、前記支払上限金額を前記ＩＣカード識別情報と共に前記サーバに送信し、その応答信号を受信する無線通信手段とを備え、
前記ＰＯＳ端末は、
前記携帯端末の前記ＩＣカード機能部と通信して、前記記憶手段に記憶された前記電子マネー残高および前記ＩＣカード識別情報を読み取ると共に、前記電子マネー残高を更新するＩＣカードリーダライタと、
請求金額と、前記ＩＣカードリーダライタで読み取った前記電子マネー残高および前記ＩＣカード識別情報とを含む決済要求を前記サーバに送信すると共に、前記請求金額から前記支払上限金額を差し引いた差引請求金額と、前記電子マネー残高から前記支払上限金額を差し引いた電子マネー差引残高とを含む決済内容を前記サーバから受信するＰＯＳ側情報送受信手段と、
前記サーバから受信した前記差引請求金額を新たな請求金額として処理し、前記電子マネー差引残高を新たな電子マネー残高として、前記ＩＣカードリーダライタを介して、前記携帯端末の前記記憶手段に記憶されている前記電子マネー残高を更新する制御手段とを備え、
前記サーバは、
前記携帯端末から前記支払上限金額を前記ＩＣカード識別情報と共に無線により受信し、その応答信号を送信する第１送受信手段と、
前記ＰＯＳ端末から前記決済要求を受信し、前記決済内容を送信する第２の送受信手段と、
前記携帯端末から受信した前記支払上限金額を、前記ＰＯＳ端末から受信した前記請求金額から差し引いた差引請求金額と、前記携帯端末から受信した前記支払上限金額を、前記ＰＯＳ端末から受信した前記携帯端末の前記電子マネー残高から差し引いた電子マネー差引残高とを算出し、該算出した差引請求金額および該電子マネー差引残高を前記第２送受信手段を介して前記ＰＯＳ端末に送信する制御手段と、を備えることを特徴とするものである。
【００１４】
請求項５に係る発明は、請求項４に記載の電子マネー決済システムにおいて、
前記携帯端末はさらに、前記ＩＣカード機能部への電力供給を制御するＩＣカード機能電力制御手段を備え、
前記ＩＣカード機能電力制御手段は、前記支払上限金額を設定する制御を開始する時点で前記ＩＣカード機能部を無効化するように前記電力供給を制御し、前記サーバが前記支払上限金額および前記ＩＣカード識別情報を受信したことを示す応答信号を、前記無線通信手段が受信した時点で前記ＩＣカード機能部を有効化するように前記電力供給を制御し、
さらに前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とするものである。
【００１５】
さらに、上記目的を達成する請求項６に係る電子マネー決済システムの発明は、
携帯端末とＰＯＳ端末とを用いて電子マネー決済を行う電子マネー決済システムにおいて、
前記携帯端末は、
ユーザの入力に基づいて支払上限金額を設定する制御を行う携帯端末制御手段と、
電子マネー残高およびＩＣカード識別情報を記憶する記憶手段を備え、前記ＰＯＳ端末と近距離無線通信して、前記支払上限金額を前記ＩＣカード識別情報と共に前記ＰＯＳ端末に送信し、その応答信号を前記ＰＯＳ端末から受信するＩＣカード機能部とを備え、
前記ＰＯＳ端末は、
前記携帯端末の前記ＩＣカード機能部と通信して、前記支払上限金額および前記ＩＣカード識別情報を受信し、その応答信号を送信するとともに、前記記憶手段に記憶されている前記電子マネー残高および前記ＩＣカード識別情報を読み取り、前記電子マネー残高を更新するＩＣカードリーダライタと、
前記ＩＣカードリーダライタを介して、前記電子マネー残高から前記支払上限金額を差し引いた電子マネー差引残高を新たな電子マネー残高として前記携帯端末の前記記憶手段に記憶されている前記電子マネー残高を更新するように制御すると共に、前記支払上限金額を請求金額から差し引いて新たな請求金額として更新するＰＯＳ端末制御手段と、を備えることを特徴とするものである。
【００１６】
請求項７に係る発明は、請求項６に記載の電子マネー決済システムにおいて、
前記ＩＣカード機能部と前記ＩＣカードリーダライタとの間の近距離無線通信を、ＲＦＩＤ通信としたことを特徴とするものである。
【００１７】
請求項８に係る発明は、請求項６または７に記載の電子マネー決済システムにおいて、
前記携帯端末はさらに、前記ＩＣカード機能部への電力供給を制御するＩＣカード機能電力制御手段を備え、
前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とするものである。
【００１８】
さらに、上記目的を達成する請求項９に係る携帯端末の発明は、
電子マネー残高およびＩＣカード識別情報を記憶する記憶手段を備えるＩＣカード機能部と、
ユーザの入力に基づいて支払上限金額を設定する設定手段と、
前記支払上限金額を前記ＩＣカード識別情報と共にＰＯＳ端末に送信し、その応答信号を受信する近距離無線通信手段と、
を備えることを特徴とするものである。
【００１９】
さらに、上記目的を達成する請求項１０に係る携帯端末の発明は、
電子マネー残高およびＩＣカード識別情報を記憶する記憶手段を備えるＩＣカード機能部と、
ユーザの入力に基づいて支払上限金額を設定する設定手段と、
前記支払上限金額と前記ＩＣカード識別情報とをサーバに送信し、該サーバからの応答信号を受信する送受信手段と、
を備えることを特徴とするものである。
【００２０】
請求項１１に係る発明は、請求項９または１０に記載の携帯端末において、
前記ＩＣカード機能部への電力供給を制御するＩＣカード機能電力制御手段をさらに備え、
前記ＩＣカード機能電力制御手段は、
前記設定手段により前記支払上限金額の設定を行う設定モードになった時点で前記ＩＣカード機能部を無効化するように前記電力供給を制御し、前記応答信号を受信した時点で前記ＩＣカード機能部を有効化するように前記電力供給を制御し、
前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とするものである。
【００２１】
さらに、上記目的を達成する請求項１２に係る携帯端末の発明は、
電子マネー残高およびＩＣカード識別情報を記憶する記憶手段を有し、かつ、ＩＣカードリーダライタと近距離無線通信を行うＩＣカード機能部と、
ユーザの入力に基づいて支払上限金額を設定する設定手段とを備え、
前記ＩＣカード機能部は、前記支払上限金額を前記ＩＣカード識別情報と共に前記ＩＣカードリーダライタに送信し、その応答信号を受信することを特徴とするものである。
【００２２】
請求項１３に係る発明は、請求項１２に記載の携帯端末において、
前記ＩＣカード機能部への電力供給を制御するＩＣカード機能電力制御手段をさらに備え、
前記ＩＣカード機能電力制御手段は、前記ＩＣカード機能部の前記記憶手段に記憶されている前記電子マネー残高が更新された時点で前記ＩＣカード機能部を無効化するように前記電力供給を制御し、所定時間経過後に前記ＩＣカード機能部を有効化するように前記電力供給を制御することを特徴とするものである。
【発明の効果】
【００２３】
本発明によれば、一度にまとめた会計に対して、複数のユーザが請求総額のうち自らの支払金額を携帯端末に各自設定して決済を行うことができるようにしたので、店舗側が煩わしさを感じることなく、簡単にしかも迅速に分担支払を行うことができる。
【発明を実施するための最良の形態】
【００２４】
以下、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきものである。また、図面相互間においても互いの寸法の関係や比率が異なる部分が含まれていることは勿論である。
【００２６】
（第１実施の形態）
図１は、本発明の第１実施の形態に係る電子マネー決済システムの概略構成を示す図である。
【００２７】
この電子マネー決済システムは、店舗側が使用するＰＯＳ端末１と、ＰＯＳ端末１が例えば専用線を介して接続する電子マネー決済システム網１００と、電子マネー決済システム網１００に接続し、電子マネーによる各種決済処理を管理するサーバ２と、ＰＯＳ端末１に有線または無線で接続されて電子マネーカードのカード情報の読み取りを行うＩＣカードリーダライタ３と、支払いを行う少なくとも１人のユーザが使用する携帯端末４とで構成される。携帯端末４はさらに、ＩＣカード機能部５、および携帯端末側送受信手段を構成する携帯端末側赤外線通信手段６を備え、ＩＣカードリーダライタ３はさらに、ＰＯＳ端末側送受信手段を構成するＰＯＳ側赤外線通信手段７を備えている。電子マネー決済システム網１００には、ＰＯＳ端末１の他にも複数の決済端末が接続する。携帯端末４を用いて支払いを行うユーザが複数いる場合には、携帯端末４も複数個存在することになる。なお、図１ではＩＣカードリーダライタ３をＰＯＳ端末１と別体としたが、ＰＯＳ端末１はＩＣカードリーダライタ３を含んで構成する。したがって、ＰＯＳ端末１はＩＣカードリーダライタ３を内蔵して構成してもよい。また、例えば、複数のＰＯＳ端末を有する店舗などでは、当該複数のＰＯＳ端末を一括管理するＰＯＳサーバを介して電子マネー決済システム網１００に接続してもよい。この電子マネー決済システムを構成する各装置および機能部そのものは、通常の電子マネー決済システムで使用されている既知のものと同様のものであるため、その詳細については説明を省略する。
【００２８】
図２は、図１の電子マネー決済システムの各機能を説明する概略ブロック図である。図１と同じ装置、手段および機能部を表すものは、同じ番号を付してある。
【００２９】
図２に示す電子マネー決済システムでは、店舗側システムとしてＰＯＳ端末１と、携帯端末４のＩＣカード機能部５とＲＦＩＤ通信して各情報を読み取るＩＣカードリーダライタ３と、サーバ２とを有している。このＩＣカードリーダライタ３は、携帯端末側赤外線通信手段６と通信するＰＯＳ側赤外線通信手段７を備えている。ＰＯＳ端末１は、電子マネー決済システム網１００を介してサーバ２と通信を行うＰＯＳ側情報送受信手段８と、全体の動作を制御する制御手段９とを有しており、ＩＣカードリーダライタ３およびＰＯＳ側赤外線通信手段７は、制御手段９に接続されている。
【００３０】
携帯端末４は、前述のＩＣカード機能部５および携帯端末側赤外線通信手段６の他に、ＩＣカード機能部５に電力を供給するか否かを制御するＩＣカード機能電力制御手段１０と、無線通信を行う無線通信手段１１と、ユーザが携帯端末４に各種情報を入力するための入力手段１２と、必要な各種情報を表示してユーザに知らせる表示手段１３と、必要に応じて機能の所要時間を計時する計時手段１４と、前記各機能部を制御する制御手段１５とを有している。ＩＣカード機能部５は内部に記憶手段（図示せず）を有し、この記憶手段には、電子マネーの残高等を表す電子マネー情報、およびＩＣカード機能の固体識別を行うためのＩＣカードＩＤ情報（識別番号）が記憶されている。また、制御手段１５は、分担支払設定アプリケーションや電話アプリケーション等の各種アプリケーションを有し、起動するアプリケーションに応じて全体の動作を制御するようになっている。したがって、制御手段１５は、電子マネーの分担支払時には、ユーザ入力に基づいて支払金額（支払上限金額）を設定する設定手段も構成している。
【００３１】
以下、図３〜５のフローチャート、図６の表示画面例および図７の概略模式図を参照して、本実施の形態に係る電子マネー決済システムを用いて支払者が自らの支払金額を設定して決済（分担支払）する方法を説明する。一例として、１００００円の商品を３人のユーザＡ、ＢおよびＣが共同で購入し、支払は、ユーザＡが５０００円、ユーザＢは３０００円、ユーザＣは２０００円をそれぞれ順番に支払うものとして説明する。
【００３２】
図３は、本実施の形態による分担支払の全体の処理の流れを説明するフローチャートである。
【００３３】
まず、最初に支払いをするユーザＡは、自分の携帯端末４の分担支払用アプリケーションを起動してユーザ処理を行うようにする（ステップＳ１）。このユーザ処理の内容の詳細を図４のフローチャートに示す。
【００３４】
図４のユーザ処理においては、まずユーザＡは入力手段１２を用いて自分の携帯端末４の分担支払設定アプリケーションを起動すると、制御手段１５は、ＩＣカード機能部５内部の記憶手段から電子マネー情報を読み取り、例えば図６（Ａ）のように、表示手段１３に電子マネー残高を表示する（ステップＳ１０１）。本例では、ユーザＡは、予め２００００円の電子マネーをチャージしているものとする。
【００３５】
この分担支払設定アプリケーションが起動すると、携帯端末４の制御手段１５はＩＣカード機能電力制御手段１０に信号を送り、例えばＩＣカード機能部５に対する電力の供給を切断するなどして、ＩＣカード機能部５を無効化する（ステップＳ１０２）。
【００３６】
このように、ＩＣカード機能部５を無効化することで、分担支払の設定をしている最中に携帯端末４を不用意にＩＣカードリーダライタ３に近づけてしまったとしても、ユーザＡが請求金額１００００円の全額の支払いを意図せず済ませてしまうことを防止する。
【００３７】
次に、ユーザＡは、入力手段１２を用いて、自分が支払う金額を入力する（ステップＳ１０３）。続いて、制御手段１５は、ＩＣカード機能部５からＩＣカードＩＤ情報を読み出して確認する（ステップＳ１０４）。
【００３８】
ＩＣカードＩＤ情報の確認が取れたら、制御手段１５は、ＩＤ情報確認完了の旨を表示手段１３に表示する（ステップＳ１０６）。次に、制御手段１５は、例えば図６（Ｂ）のような画面を表示手段１３に表示して、携帯端末４の赤外線ポートである携帯端末側赤外線通信手段６を通信先であるＰＯＳ側赤外線通信部７に向けるようユーザに促して（ステップＳ１０７）、赤外線送信を開始するか否かをユーザに問う（ステップＳ１０８）。
【００３９】
ユーザは、表示手段１３に表示された支払内容が正しいと確認したら、図７（Ａ）に示すように、赤外線送信を開始することによりユーザ処理を終了する。本例では、ユーザＡは５０００円の支払を希望しているので、例えば図６（Ｂ）に示すように、もし５０００円支払ったとしたら、その後の差引残高は１５０００円になる旨も表示手段１３に表示することができる。ここで、支払金額の入力を間違えた場合には、ステップＳ１０３に戻って支払金額の入力からやり直す。
【００４０】
なお、ステップＳ１０４でＩＣカードＩＤ情報の確認ができない場合には、ユーザに登録を促し、このままではＩＣカードによる決済ができない旨を表示手段１３に表示して（ステップＳ１０５）、それ以上先のステップには進めないようにして、当該携帯端末４による分担支払を禁止する。
【００４１】
ステップＳ１０８で送信を実行したら、図３に示すように、ＰＯＳ端末１は、携帯端末４からのユーザＡの支払金額情報およびＩＣカードＩＤ情報を受信する（ステップＳ２）。この受信が完了すると、受信完了通知を、今度はＰＯＳ端末１から携帯端末４に、赤外線通信手段７および６を介して送信する（ステップＳ３）。
【００４２】
その後、携帯端末４側では、ＰＯＳ端末１がユーザＡの支払金額情報およびＩＣカードＩＤ情報を正常に受信したということを確認してから、制御手段１５がＩＣカード機能電力制御手段１０に信号を送信して、ＩＣカード機能部５を有効化する（ステップＳ４）。したがって、携帯端末４とＰＯＳ端末１とが赤外線通信で送受信をしている間は、両端末を接近させたとしても、その間に電子マネーが意図せずに決済されてしまうことは防止できる。さらに、この赤外線通信が何らかの事情により正常に行うことができなかった場合にはＩＣカード機能部５が有効化されないため、ユーザが端末同士の通信の失敗に気付かずに携帯端末４をＰＯＳ端末１のＩＣカードリーダライタ３に近づけても、ユーザの意図に反して自分の設定した金額を超えて決済されてしまうことは防止できる。なお、このＩＣカード機能部５の無効化および有効化は、電力を供給する配線をスイッチ等で物理的に切断および接続する場合に限らず、ソフト制御にて行ってもよい。
【００４３】
以上の操作によって電子マネーによる決済の準備が整ったので、ユーザＡは、図７（Ｂ）に示すように、携帯端末４のＩＣカード機能部５をＰＯＳ端末のＩＣカードリーダライタ３にかざすことにより、ＩＣカード機能部５から、ユーザＡの電子マネー残高およびＩＣカードＩＤ情報を、ＩＣカードリーダライタ３を経てＰＯＳ端末１に送信する（ステップＳ５）。この後、この支払処理が終了するまで、表示手段１３に例えば図６（Ｃ）のようなメッセージを表示することができる。
【００４４】
ＰＯＳ端末１では、現在受信したＩＣカードＩＤ情報が、先ほど赤外線で受信したＩＣカードＩＤ情報と一致するか否かを確認する（ステップＳ６）。両者が一致しない場合には、ＰＯＳ端末１は、先ほど赤外線にて情報を受信したユーザと現在支払を行おうとしているユーザが同一でないと判断して、ＩＣカードＩＤが否認された旨をＰＯＳ端末１上に表示して（ステップＳ７）、もう一度ステップＳ１のユーザ処理からのやり直しを促す。
【００４５】
ステップＳ６にて、両ＩＣカードＩＤ情報が一致する場合には、ユーザＡの電子マネー残高と、支払金額の大小を比較し（ステップＳ８）、電子マネー残高が支払金額に満たない場合には、残高不足により決済不可能である旨の通知をＰＯＳ端末１上に表示する（ステップＳ９）。この場合には、ステップＳ１のユーザ処理に戻り、当該ユーザに現金での支払いをさせるか、または他のユーザに支払いを交替するようにする。
【００４６】
本例の場合には、ユーザＡの電子マネー残高は２００００円で支払金額は５０００円であるので、電子マネー残高が支払金額以上となる。このような場合には支払いが可能であるので、次に支払金額と、商品の購入による請求金額との大小を比較する（ステップＳ１０）。
【００４７】
支払金額が請求金額以上となる場合には、このユーザが全ての請求金額の代金を支払うものとして、このあとは通常の電子マネー決済と同様となる（ステップＳ１１）。本例の場合には、請求金額１００００円に対してユーザＡはそのうち５０００円のみを支払う。このように支払金額が請求金額に満たない場合には、ＰＯＳ端末１は、ユーザＡの電子マネー残高から支払金額を差し引いて（ステップＳ１２）、差し引き後の金額を新しい残高である電子マネー差引残高として、ＩＣカードリーダライタ３を経て、ＩＣカード機能部５内の電子マネー情報を書き換える（ステップＳ１３）。本例の場合は、ユーザＡの電子マネー残高から５０００円を差し引き、新たな残高として電子マネー情報を１５０００円に書き換える。
【００４８】
この後、意図せずに同一ユーザから２度の決済を行わないようにするために、二度払い防止処理を行う。この処理のフローチャートを図５に示す。
【００４９】
図５の二度払い防止処理では、ユーザの電子マネー決済が終了した後、ステップＳ１１０にて、制御手段１５がカード機能電力制御手段１０に信号を送り、ＩＣカード機能部５を無効化する（ステップＳ１１０）。この無効化も、電力を供給する配線をスイッチ等で物理的に切断する場合に限らず、ソフト制御にて行ってもよい。
【００５０】
ＩＣカード機能部５のこの無効化をトリガとして、計時手段１４は時間の計測を開始する。所定の時間またはユーザが予め設定した時間が経過した後（ステップＳ１１１）、制御手段１５はＩＣカード機能部５を有効化する（ステップＳ１１２）。この間、携帯端末４の表示手段１３に、例えば図７（Ｄ）のような表示をすることもできる。このようにすることで、一度決済を済ませた直後に、ＩＣカード機能部５をＩＣカードリーダライタ３に不用意に近づけてしまった場合でも、意図せず連続して２度の決済をしてしまうことが防止できる。
【００５１】
以上でユーザＡの支払処理が完了するが、本例の場合は、請求金額１００００円のうち、ユーザＡが５０００円を払ったのみであり、まだ残金である差引請求金額が５０００円ある。このような場合には、支払後の残金がＰＯＳ端末１上に表示される（ステップＳ１５）。
【００５２】
次のステップＳ１６にて、支払金額が請求金額に達していない場合にはＳ１に戻り、次のユーザが、上述の同じ手順に従って自分の支払分の決済を行う。本例の場合には、ユーザＢが、上述の手順に従って自らの支払分である３０００円を支払う。ユーザＢは自分の携帯端末で自らの支払金額である３０００円を入力して設定し、電子マネーの決済を行う。したがってこの場合のステップＳ１５では、ユーザＡおよびＢの支払後であるから、残金は２０００円となり、ステップＳ１６を経て再度ステップＳ１に戻る。次にユーザＣが同様の手順で自らの支払金額である２０００円を入力して設定し、電子マネー決済を行う。この場合、次のステップＳ１６では未払金額が０円となり、次のステップに進む。
【００５３】
全ての支払が終了すると、それまでの電子マネー決済に関する決済情報（決済が行われた日時データやＩＣカードＩＤ情報とそれに対応する支払金額等）をサーバ２に送信して（ステップＳ１７）、全ての動作を終了する。なお、決済情報は、決済が行われる都度、サーバ２に送信しても良いし、所定時間毎に蓄積した複数の決済情報をまとめて送信しても良い。
【００５４】
なお、ステップＳ１０４において、ＩＣカード機能部５のＩＣカードＩＤ情報が確認できなかった場合には、当該ＩＣカード機能部５のＩＣカード機能を当該携帯端末４で使用できる状態ではないため、このユーザは、当該端末では電子マネーによる決済はできない。この場合には、当該ユーザは、現金による支払いをするか、または当該ユーザの支払い分を他のユーザに代理で支払ってもらうようにするなどの処理を行う。
【００５５】
本実施の形態によれば、各ユーザが分担支払アプリケーションを起動して自らの支払金額を設定して分担支払を行えるようにしたので、店舗側が煩わしさを感じることなく、簡単にしかも迅速に分担支払を行うことができる。
【００５６】
また、本実施の形態によれば、例えば、支払額に応じてポイントが蓄積されて何らかの特典に利用できるようなシステムになっている場合であっても、各ユーザの支払額に応じて当該ポイントを割り当てることができる。
【００５７】
（第２実施の形態）
図８は、本発明の第２実施の形態に係る電子マネー決済システムの各機能を説明する概略ブロック図である。第１実施の形態に係る電子マネー決済システムを構成する装置、手段および機能部と同じものには同じ番号を付して示してある。本実施の形態に係る電子マネー決済システムは、その構成の大部分が第１実施の形態に係る電子マネー決済システムと同じであるので、これらの相違点について重点的に説明し、第１実施の形態と同じ説明は適宜省略する。
【００５８】
本実施の形態では、サーバ２を、無線通信を行うための基地局１６と有線または無線で接続して、この基地局１６と携帯端末４の無線通信手段１１とが無線通信によりデータ交換を行えるようになっている。より詳細には、このサーバ２は、基地局１６と接続している第１送受信手段１７と、電子マネー決済システム網１００（図示せず）を介してＰＯＳ端末１のＰＯＳ側情報送受信手段８と接続している第２送受信手段１８と、第１および第２送受信手段と接続してこれらを制御する制御手段１９とを備えている。また、第１実施の形態で示した携帯端末側赤外線通信手段６およびＰＯＳ側赤外線通信手段７は、省略している。
【００５９】
以下、図９〜１０のフローチャート、図１１の表示画面例および図１２の概略模式図を参照して、本実施の形態に係る電子マネー決済システムを用いて支払者が自らの支払金額を設定して決済（分担支払）する方法を説明する。なお、本実施の形態は、複数のユーザが連続して電子マネー決済を行うことができる点では第１実施の形態と変わりがないため、一例として、１００００円の商品を複数のユーザが共同で購入し、ユーザＡが５０００円を支払う際の手順についてのみ説明する。
【００６０】
まず、図９に示すように、ユーザＡは自分の携帯端末４を用いてユーザ処理を実行する（ステップＳ２０１）。このユーザ処理では、図１０に示すように、ユーザＡが携帯端末４の分担支払設定アプリケーションを起動する（ステップＳ１２０１）。この時、例えば図１２（Ａ）のように、表示手段１３に電子マネー残高を表示することができる。分担支払設定アプリケーションを起動すると、制御手段１５はＩＣカード機能電力制御手段１０に信号を送り、ＩＣカード機能部５を無効化し（ステップＳ１２０２）、ユーザの不注意によって、意図せずに請求金額を全て支払ってしまうことを防止する。
【００６１】
本実施の形態では、ユーザ側が行う作業は、基本的に第１実施の形態にて行う作業と変わらない。ユーザは携帯端末４に自分が支払う金額を入力する（ステップＳ１２０３）。すると制御手段１５がＩＣカード機能部５の記憶手段からＩＣカードＩＤ情報を確認する（ステップＳ１２０４）。この確認が完了すると（ステップＳ１２０６）、例えば図１１（Ｂ）のようなメッセージを表示手段１３に表示して、支払金額情報およびＩＣカードＩＤ情報を送信するか否かを問う（ステップＳ１２０７）。ここで、ユーザが送信開始を選択すると、図１２（Ａ）に示すように、携帯端末４の無線通信手段１１と基地局１６とが無線通信を開始して、制御手段１５は、基地局１６を介してユーザＡの支払金額情報およびＩＣカードＩＤ情報をサーバ２の第１送受信手段に送信するよう制御し、ユーザ処理を終了する。これに対し、支払金額の入力を間違えた場合には、これらの情報を送信せずに、ステップＳ１２０３に戻って支払金額の入力からやり直す。
【００６２】
次に、図９に示すように、サーバ２にユーザＡの支払金額情報およびＩＣカードＩＤ情報が送信され、サーバ２がこれらの情報の正常な受信を完了すると（ステップＳ２０２）、サーバの制御手段１９は、情報が正常に受信されたことを携帯端末４に通知するように第１送受信手段１７を制御する（ステップＳ２０３）。携帯端末４の無線通信手段１１がこの通知を正常に受信したら（ステップＳ２０４）、制御手段１５はＩＣカード機能電力制御手段１０に信号を送信して、ＩＣカード機能部５を有効化する（ステップＳ２０５）。
【００６３】
以上の操作によって電子マネーによる決済の準備が整ったので、ユーザＡは、図１２（Ｂ）に示すように、ＩＣカード機能部５をＩＣカードリーダライタ３にかざすことにより、ＩＣカード機能部５から、ユーザＡの電子マネー残高およびＩＣカードＩＤ情報を、ＩＣカードリーダライタ３を経てＰＯＳ端末１に送信する（ステップＳ２０６）。
【００６４】
次に、ＰＯＳ端末１の制御手段９は、ユーザＡの電子マネー残高およびＩＣカードＩＤ情報と共に、ＰＯＳ端末１に登録されている請求金額をまとめて決済要求として、サーバ２の第２送受信手段に送信するようにＰＯＳ側情報送受信手段８を制御する（ステップＳ２０７）。
【００６５】
サーバ２が決済要求を受信すると、サーバ２の制御手段１９は、携帯端末４の無線通信手段１１から基地局１６経由で受信したＩＣカードＩＤ情報と、ＩＣカード機能部５からＩＣカードリーダライタ３およびＰＯＳ端末１経由で受信したＩＣカードＩＤ情報とが一致するか否かを確認する（ステップＳ２０８）。両者が一致しない場合には、サーバ２の制御手段１９は、先ほど無線通信にて情報を受信したユーザと現在支払を行おうとしているユーザが同一でないと判断して、ＩＣカードＩＤが否認された旨の表示をＰＯＳ端末１上に表示させるための信号をＰＯＳ側情報送受信手段８に送信する。この信号に基づいて、ＰＯＳ端末１は、ＩＣカードＩＤが否認された旨を表示する（ステップＳ２０９）。この場合は、もう一度ステップＳ２０１のユーザ処理からのやり直しを促す。
【００６６】
２つのＩＣカードＩＤ情報が一致する場合には、次にサーバ２の制御手段１９は、ユーザＡの電子マネー残高と、支払金額の大小を比較し（ステップＳ２１０）、電子マネー残高が支払金額に満たない場合には、残高不足により決済不可能である旨の表示をＰＯＳ端末１上に表示させるための信号をＰＯＳ側情報送受信手段８に送信する。この信号に基づいて、ＰＯＳ端末１は、残高不足により決済不可能である旨を表示する（ステップＳ２１１）。
【００６７】
電子マネー残高が支払金額以上の場合は、次に、ユーザＡの支払金額と、ＰＯＳ端末から受信した請求金額との大小を比較する（ステップＳ２１２）。支払金額が請求金額以上となる場合には、このユーザが全ての請求金額を支払うものとして、このあとは通常の電子マネー決済と同様となる（ステップＳ２１３）。支払金額が請求金額に満たない場合には、サーバ２の制御手段１９は、ユーザＡの電子マネー残高から支払金額を差し引いて（ステップＳ２１４）、差し引き後の金額を新しい残高である電子マネー差引残高として算出し、さらにＩＣカードリーダライタ３を経てＩＣカード機能部５内の電子マネー情報をこの電子マネー差引残高に書き換えるように、ＰＯＳ側情報送受信手段８に信号を送信する。その信号に基づいて、ＰＯＳ端末１の制御手段９は、ＩＣカードリーダライタ３を経てＩＣカード機能部５内の電子マネー情報を書き換える（ステップＳ２１５）。
【００６８】
この後、二度払い防止処理を行うのは第１実施の形態と同じである（ステップＳ２１６）。
【００６９】
さらに、サーバ２の制御手段１９は、請求金額からユーザＡの支払金額を差し引いた残金を差引請求金額として算出し、その金額を新たな請求金額としてＰＯＳ端末１のＰＯＳ側情報送受信手段８に送信するように制御する（ステップＳ２１７）。これに基づいて、ＰＯＳ端末１は、新たな請求金額を表示する。
【００７０】
以降、請求金額がゼロになるまで、次のユーザが上記支払を繰り返すようにするのも第１実施の形態と同じである。
【００７１】
これ以降の手順については、第１実施の形態で述べた手順と同じであるので、説明を省略する。
【００７２】
本実施の形態によれば、携帯端末４が基地局１６と通信する電波の届く範囲内であれば、ユーザの居場所に関わらず、ユーザ処理をして自らの支払金額の設定ができる。すなわち、携帯端末４の赤外線ポートを通信先に向ける動作をすることなく、支払金額およびＩＣカードＩＤ情報を送信することができる。
【００７３】
（第３実施の形態）
図１３は、本発明の第３実施の形態に係る電子マネー決済システムの各機能を説明する概略ブロック図である。第１および第２実施の形態に係る電子マネー決済システムを構成する装置、手段および機能部と同じものには同じ番号を付して示してある。本実施の形態に係る電子マネー決済システムは、サーバ２および基地局１６の構成を除けば、その構成の大部分が第２実施の形態に係る電子マネー決済システムと同じであるので、これらの相違点について重点的に説明し、同じ説明は適宜省略する。
【００７４】
本実施の形態は、支払金額情報およびＩＣカードＩＤ情報を、携帯端末４と基地局１６との通信によりサーバ２を介してＰＯＳ端末１に送信するのではなく、携帯端末４のＩＣカード機能部５を用いてＩＣカードリーダライタ３からＰＯＳ端末１に送信するようにしたものである。
【００７５】
以下、図１４〜１５のフローチャート、図１６の表示画面例および図１７の概略模式図を参照して、本実施の形態に係る電子マネー決済システムを用いて支払者が自らの支払金額を設定して決済（分担支払）する方法を説明する。なお、本実施の形態でも、複数のユーザが連続して電子マネー決済を行うことができる点では第１および第２実施の形態と変わりがないため、一例として、１００００円の商品を複数のユーザが共同で購入し、ユーザＡが５０００円を支払う際の手順についてのみ説明する。
【００７６】
まず、図１４に示すように、ユーザ処理を実行する（ステップＳ３０１）。このユーザ処理では、図１５に示すように、ユーザＡが携帯端末４の分担支払設定アプリケーションを起動する（ステップＳ１３０１）。この時、例えば図１６（Ａ）のように、表示手段１３に電子マネー残高を表示する。本実施の形態では、分担支払設定アプリケーションを起動しても、ＩＣカード機能部５を無効化するように電力供給を制御する処理は行われない。
【００７７】
次に、図１５に示すように、ユーザに支払い金額の入力を促し（ステップＳ１３０２）、入力が完了したら、制御手段１５は、ＩＣカード機能部５のＩＣカードＩＤ情報を確認し（ステップＳ１３０３）、確認がとれない場合にはユーザに登録を促し（ステップＳ１３０４）、強制終了になる。ＩＣカードＩＤ情報が確認できた場合には、制御手段１５は、ＩＤ情報確認完了の旨を表示手段１３に表示し（ステップＳ１３０５）、次いで、例えば図１６（Ｂ）のような画面を表示して、ユーザの入力内容を確定させてよいかどうかの確認を促す（ステップＳ１３０６）。支払金額の入力を間違えた場合には、ステップＳ１３０２に戻って支払金額の入力からやり直し、支払金額を確定させた場合には、ユーザ処理は終了する。
【００７８】
上記のユーザ処理が終了したら、図１７に示すように、携帯端末４をＩＣカードリーダライタ３にかざすことにより、携帯端末４のＩＣカード機能部５とＩＣカードリーダライタ３との間でＲＦＩＤ通信を開始する。これにより、図１４に示すように、ＰＯＳ端末１は、支払金額情報およびＩＣカードＩＤ情報を受信する（ステップＳ３０２）。
【００７９】
その後、ステップＳ３０３では、ＰＯＳ端末１の制御手段９は、携帯端末１から送信されたデータが、ユーザにより設定された支払金額、すなわち分担支払アプリケーションにより設定されたデータか否かを判定する。分担支払アプリケーションにより設定されたデータでない場合には、通常の電子マネー決済を行うためのデータであると判断して、制御手段９は、ステップＳ３０８に進み、１人が１度に全額を支払う通常の（分担支払ではない）電子マネー決済を行う。一方、携帯端末１から送信されたデータが分担支払アプリケーションにより設定されたデータであると判断した場合には、ステップＳ３０４に進み、第１実施の形態で説明したのと同様の分担支払の手順を続行する。
【００８０】
これ以降の手順については、第１実施の形態で述べた手順と全く同じであるので、説明を省略する。
【００８１】
本実施の形態によれば、ＩＣカード機能部５とＩＣカードリーダライタ３との間の通信のみで、ユーザの支払金額の設定および電子マネー決済の両方が行えるため、機器の構成を著しく簡単にすることができる。
【００８２】
なお、本発明は、上記実施の形態にのみ限定されるものではなく、幾多の変形または変更が可能である。例えば、上記実施の形態では、各ユーザがそれぞれに電子マネーによる決済をするものとしたが、そのユーザの中には電子マネーによる決済ではなく現金による支払いをする者がいてもよい。この場合には、ユーザは現金で支払う旨をＰＯＳ端末１の操作者に伝え、ＰＯＳ端末１の操作者は現金を受け取り、その現金の分だけ請求金額を減算処理するようにして、次のユーザの支払いを受け付ける。
【００８３】
さらに、第１実施の形態では、携帯端末側赤外線通信手段６とＰＯＳ側赤外線通信手段７との間の通信を赤外線としたが、Ｂｌｕｅｔｏｏｔｈ等の近距離無線通信としてもよい。また、各実施の形態において、ＩＣカード機能部５とＩＣカードリーダライタ３との間の通信も、ＲＦＩＤ通信に限定する必要はなく、Ｂｌｕｅｔｏｏｔｈ等の近距離無線通信としてもよい。
【００８４】
また、第２実施の形態では、ＰＯＳ端末１を仲介として、携帯端末４とサーバ２がやりとりをし、ＩＣカードＩＤ情報の一致の確認など各種処理はサーバ２が行うようにしたが、サーバ２を仲介として、携帯端末４とＰＯＳ端末１がやりとりをし、第１実施の形態のように、ＩＣカードＩＤ情報の一致の確認など各種処理はＰＯＳ端末１が行うようにしてもよい。
【図面の簡単な説明】
【００８５】
【図１】第１実施の形態に係る電子マネー決済システムの概略構成を示す図である。
【図２】図１の電子マネー決済システムの各機能を説明する概略ブロック図である。
【図３】第１実施の形態による分担支払の全体の処理を説明するフローチャートである。
【図４】図３のユーザ処理を説明するフローチャートである。
【図５】図３の二度払い防止処理を説明するフローチャートである。
【図６】第１実施の形態に係る形態端末の表示手段の表示例を示す図である。
【図７】第１実施の形態に係る電子マネー決済システムの使用例を示す模式図である。
【図８】第２実施の形態に係る電子マネー決済システムの各機能を説明する概略ブロック図である。
【図９】第２実施の形態による分担支払の全体の処理を説明するフローチャートである。
【図１０】図９のユーザ処理を説明するフローチャートである。
【図１１】第２実施の形態に係る形態端末の表示手段の表示例を示す図である。
【図１２】第２実施の形態に係る電子マネー決済システムの使用例を示す模式図である。
【図１３】第３実施の形態に係る電子マネー決済システムの各機能を説明する概略ブロック図である。
【図１４】第３実施の形態による分担支払の全体の処理を説明するフローチャートである。
【図１５】図１４のユーザ処理を説明するフローチャートである。
【図１６】第３実施の形態に係る形態端末の表示手段の表示例を示す図である。
【図１７】第３実施の形態に係る電子マネー決済システムの使用例を示す模式図である。
【符号の説明】
【００８６】
１  ＰＯＳ端末
２  サーバ
３  ＩＣカードリーダライタ
４  携帯端末
５  ＩＣカード機能部
６  携帯端末側赤外線通信手段
７  ＰＯＳ側赤外線通信手段
８  ＰＯＳ側情報送受信手段
９  制御手段
１０  ＩＣカード機能電力制御手段
１１  無線通信手段
１２  入力手段
１３  表示手段
１４  計時手段
１５  制御手段
１６  基地局
１７  第１送受信手段
１８  第２送受信手段
１９  制御手段
１００  電子マネー決済システム網
【図１】
2008134964.tif 000003
【図２】
2008134964.tif 000004
【図３】
2008134964.tif 000005
【図４】
2008134964.tif 000006
【図５】
2008134964.tif 000007
【図６】
2008134964.tif 000008
【図７】
2008134964.tif 000009
【図８】
2008134964.tif 000010
【図９】
2008134964.tif 000011
【図１０】
2008134964.tif 000012
【図１１】
2008134964.tif 000013
【図１２】
2008134964.tif 000014
【図１３】
2008134964.tif 000015
【図１４】
2008134964.tif 000016
【図１５】
2008134964.tif 000017
【図１６】
2008134964.tif 000018
【図１７】
2008134964.tif 000019